【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
流体（２１４、６１０、１３０２、１３０２’、１５１６））を供給するカートリッジ（１００、４１４、５０２、５０２’、５０２”、１１００、１３００、１３５０、１９０２’、１９０２”）において、
−  前記流体をポンプ送りするポンプ室（１１８、１１１８）を備えた弁（１１０、１１００）であって、前記ポンプ室が前記弁内の空洞であり、ポンプ室導管（１２０、１１２０）を位置決めするように動作可能であり、前記ポンプ室導管が前記ポンプ室と常時接続された弁（１１０、１１００）と、
−  前記ポンプ室の容積を変更するように動作可能なプランジャ（１１０８）であって、前記ポンプ室が前記空洞および前記プランジャにより形成されたプランジャ（１１０８）と、
−  貯留槽を前記弁と接続する貯留槽導管（１２４、１２１４）であって、前記弁が、前記貯留槽導管と接続するように前記ポンプ室導管を位置決めするように動作可能である貯留槽導管（１２４、１２１４）と、
−  前記流体を供給する出口導管（１２８、１１２８）であって、前記弁が、前記出口導管と接続するように前記ポンプ室導管を位置決めするようにさらに動作可能である出口導管（１２８、１１２８）と
を備えるカートリッジ（１００、４１４、５０２、５０２’、５０２”、１１００、１３００、１３５０、１９０２’、１９０２”）。
【請求項２】
前記弁が滑り弁（１１１０）であり、前記滑り弁がポンプ室導管（１１２０）を並進移動させるように動作可能であり、前記滑り弁が前記貯留槽導管と接続するように前記ポンプ室導管を並進移動させるように動作可能であり、前記滑り弁がさらに前記出口導管と接続するように前記ポンプ室導管を並進移動させるように動作可能である、請求項１に記載のカートリッジ（１１００、１３００、１３５０、１９０２、１９０２’、１９０２”）。
【請求項３】
前記カートリッジが前記貯留槽に接続された戻し導管（１３２４）をさらに備え、前記ポンプ室導管が前記貯留槽導管を介して流体を受け入れるように動作可能であり、前記戻し導管が前記貯留槽の第２の部分（１３２２）に流体を戻すように動作可能であり、前記滑り弁が前記戻し導管に接続するように前記ポンプ室導管を並進移動させるようにさらに動作可能である、請求項２に記載のカートリッジ。
【請求項４】
−  副貯留槽（１３２２’）と、
−  副貯留槽導管（１３２４）とをさらに備え、前記滑り弁が、前記副貯留槽導管に接続するように前記ポンプ室導管を並進移動させるようにさらに動作可能である、請求項２または３に記載のカートリッジ。
【請求項５】
前記弁が回転弁（１１０）であり、前記回転弁がポンプ室導管（１２０）を回転させるように動作可能であり、前記回転弁および前記プランジャが独立して作動させられるように動作可能であり、前記回転弁が前記貯留槽導管と接続するように前記ポンプ室導管を回転させるように動作可能であり、前記回転弁が前記出口導管と接続するように前記ポンプ室導管を回転させるようにさらに動作可能である、請求項１に記載のカートリッジ（１００、４１４、５０２、５０２’、５０２”）。
【請求項６】
前記カートリッジが、前記貯留槽に接続された戻し導管をさらに備え、前記ポンプ室導管が、前記貯留槽の第１の部分から流体を受け入れるように動作可能であり、前記戻し導管が、前記貯留槽の第２の部分へ流体を戻すように動作可能であり、前記回転弁が、前記戻し導管に接続するように前記ポンプ室導管を回転させるようにさらに動作可能である、請求項５に記載のカートリッジ。
【請求項７】
−  副貯留槽（４１６）と、
−  副貯留槽導管（４３０）と
をさらに備え、前記回転弁が、前記副貯留槽導管に接続するように前記ポンプ室導管を回転させるようにさらに動作可能である、請求項５または６に記載のカートリッジ。
【請求項８】
前記カートリッジが、前記出口ノズルにより供給される流体を計測するように動作可能なセンサをさらに備える、請求項５から７のいずれか一項に記載のカートリッジ。
【請求項９】
生体試料（５０８、１９０８）を分析する自動分析器（５００、１９００、２０００）であって、前記自動システムが、前記請求項のいずれか一項に記載のカートリッジを保持するように動作可能である自動分析器（５００、１９００、２０００）において、
−  前記プランジャおよび前記弁を作動させるように動作可能なアクチュエータ組立体（５０４、５０４’、５０４”、１２００、１４００、１９０４、１９０４’、１９０４”）と、
−  前記アクチュエータ組立体の動作を制御するコントローラ（５２０、１９２０）と
を備える、自動分析器（５００、１９００、２０００）。
【請求項１０】
前記自動システムが、請求項２から４のいずれか一項に記載のカートリッジを保持するように動作可能であり、前記アクチュエータ組立体（１２００、１４００、１９０４、１９０４’、１９０４”）が、前記プランジャおよび前記滑り弁を直線作動させるように動作可能である、請求項９に記載の自動分析器（１９００、２０００）。
【請求項１１】
前記自動分析器が、請求項２から４のいずれか一項に記載のカートリッジを保持するように動作可能であり、前記アクチュエータ組立体が、前記プランジャを直線作動させるように動作可能である、請求項１０に記載の自動分析器。
【請求項１２】
前記アクチュエータ組立体が、前記プランジャを別個に直線作動させると共に前記滑り弁を直線作動させるように動作可能である、請求項１０に記載の自動分析器。
【請求項１３】
前記カートリッジが出口ノズル（１１２６）を備え、前記自動分析器が、前記流体のメニスカスを検出するメニスカス検出器（２００２、２００２’、２００２”）をさらに備え、前記コントローラが、
−  前記出口ノズルを通じて流体を押し出すように前記アクチュエータ組立体を制御し、
−  前記メニスカス検出器を用いて前記メニスカスを検出し、
−  前記メニスカスが所定の位置にあるときに、前記出口を通じた流体の送り出しを停止するように前記アクチュエータを制御する
ように動作可能である、請求項１０、１１、または１２に記載の自動分析器。
【請求項１４】
前記自動分析器が、請求項５から８のいずれか一項に記載のカートリッジ（１００、４１４、５０２、５０２’、５０２”）を保持するように動作可能であり、前記アクチュエータ組立体（５０４、５０４’、５０４”）が、前記プランジャを別個に直線作動させる（１０５、２０８、２１２、３０６、３１２、４２０、４２４、４２６、４３２）と共に前記回転弁を回転作動させる（１０７、２１０、３１０、４２２、４２８）ように動作可能である、請求項９に記載の自動分析器（５００）。
【請求項１５】
請求項２から４のいずれか一項に記載のカートリッジを動作させる方法であって、
−  前記貯留槽導管と接続するように前記ポンプ室導管を並進移動させるように前記滑り弁を並進移動させるステップ（１５１６、１６１８、１８３６、１８３８）と、
−  前記ポンプ室を充填するように前記プランジャを用いて前記ポンプ室の前記容積を増大させるステップ（１５１０、１６１２、１８１６）と、
−  前記出口導管と接続するように前記ポンプ室導管を並進移動させるように前記滑り弁を並進移動させるステップ（１５１２、１６１４、１８１８、１８２０）と、
−  前記出口導管を通じて前記流体をポンプ送りするように前記プランジャを用いて前記ポンプ室の前記容積を減少させる（１５１４、１６１６、１７０４、１８２２）ステップと
を含む方法。
【請求項１６】
請求項５から８のいずれか一項に記載のカートリッジを動作させる方法であって、
−  前記貯留槽導管と接続するように前記回転弁を回転させて前記ポンプ室導管を回転させるステップと、
−  前記ポンプ室を充填するように前記プランジャを用いて前記ポンプ室の前記容積を増大させるステップと、
−  前記出口導管と接続するように前記回転弁を回転させて前記ポンプ室導管を回転させるステップと、
−  前記出口導管を通じて前記流体をポンプ送りするように前記プランジャを用いて前記ポンプ室の前記容積を減少させるステップと
を含む方法。
【請求項１７】
請求項２から４のいずれか一項に記載のカートリッジを保持するように動作可能である、流体（９０８）を供給する自動システム（９００、１０００）であって、
−  前記プランジャおよび前記滑り弁を直線作動させるように動作可能なアクチュエータ組立体（２００、４００、９０４、９０４’、９０４”）と、
−  前記アクチュエータ組立体の動作を制御するコントローラ（９２０）と
を備える自動システム（９００、１０００）。